【手続補正書】
【提出日】平成27年10月19日(2015.10.19)
【手続補正１】
【補正対象書類名】明細書
【補正対象項目名】全文
【補正方法】変更
【補正の内容】
【発明の詳細な説明】
【発明の名称】補助材料を熱的に処理する方法及び処理設備
【技術分野】
【０００１】
本発明は、有機有害物質を帯びた未処理ガス流を浄化するために未処理ガス流内へ投入可能な補助材料であって、有害物質と補助材料とからなる安定したシステムを有機有害物質と共に形成する補助材料を熱的に処理する方法に関する。
【背景技術】
【０００２】
有害物質を帯びた補助材料は、例えば湿化学的方法において処理することができる。
【先行技術文献】
【特許文献】
【０００３】
【特許文献１】米国特許第２５７１３８０号明細書
【発明の概要】
【発明が解決しようとする課題】
【０００４】
本発明の課題は、資源を節約する様態で簡単に実施可能な、補助材料を熱的に処理する方法を提供することである。
【課題を解決するための手段】
【０００５】
この課題は、本発明によれば、有機有害物質を帯びた未処理ガス流を浄化するために未処理ガス流内へ投入可能な補助材料であって、有害物質と補助材料とからなる安定したシステムを有害物質と共に形成する補助材料を熱的に処理する方法によって解決される。本発明によれば、前記方法は：
有害物質と補助材料とからなるシステムと、標準状態に対して加熱されたキャリアガス流とを熱的な処理装置内へ供給する段階；
処理された補助材料を形成するために、有機有害物質の少なくとも一部を化学的に変換する段階；
処理された補助材料を、有機有害物質を帯びた補助材料からガス流による移送を介して分離する段階；及び
熱的な処理装置から処理された補助材料を排出する段階、を含む。
【０００６】
本発明の一つの形態において、補助材料としてフィルタ補助材料が選択されており、そのフィルタ補助材料は、塗料オーバースプレイの形態の有害物質を帯びた未処理ガス流を浄化するために使用され、その場合にフィルタ補助材料は、塗料オーバースプレイと共に、塗料オーバースプレイを帯びたフィルタ材料からなる標準状態のもとで安定したシステムを形成し、そのシステムがフィルタ装置において分離可能である。
【０００７】
処理装置が流動層ベース材料を含むか又は有すると有利であり得る。好ましくは、流動層ベース材料は、補助材料として使用される材料の化学組成に合致する化学組成を有している。
【０００８】
有害物質を帯びた補助材料は、特に、流動層ベース材料と一緒に舞い上がらせることによって簡単に処理することができる。
【０００９】
「標準状態」の概念は、特に、約２０℃と約３０℃の間の温度を意味する。
【００１０】
キャリアガス流は、例えば空気を含むか又は空気からなることができる。さらに、キャリアガス流は窒素又は一つ以上の他の不活性ガスを含むか又は窒素もしくは一つ以上の他の不活性ガスからなることができる。キャリアガス流は、特に熱的な処理を支援するために、反応性ガス又はガス混合物及び／又は不活性ガス又はガス混合物を有し、あるいはそれからなることができる。
【００１１】
補助材料として、特に、有害物質の液体成分を吸収することができる任意の媒体を使用することができる。
【００１２】
補助材料は、好ましくは粒子状及び／又は粉末状の材料である。
【００１３】
特に、補助材料として石灰、石の粉、特に石灰石粉、ケイ酸アルミニウム、酸化アルミニウム、酸化ケイ素、粉末塗料などが考えられる。
【００１４】
その代わりに、あるいはそれに加えて、有害物質を吸収し、及び／又は結合するための補助材料として、中空室構造を有し、かつその外側寸法に対して大きい内表面を有する粒子、例えば天然及び／又は合成のゼオライト又はポリマー、ガラスあるいはケイ酸アルミニウムからなる他の中空の、例えば球状の、物体及び／又は天然又は合成の繊維も使用することができる。
【００１５】
ゼオライトと称されるのは、特に一般的な分子式Mn+x/n[(AlO2)x-(SiO2)y]zH2Oを有する、アルミノケイ酸塩である（Mn+：金属陽イオン；x/n：陽イオンの電荷とアルミン酸塩陰イオンの電荷から生じる、化学量論的ファクター（＝「モジュール」））。例えばカルシウム−ゼオライト、マグネシウム−ゼオライト、カルシウム−マグネシウム−ゼオライト、ナトリウム−ゼオライト及び／又はカリウム−ゼオライトを使用することができる。好ましくはこれらの種類のゼオライトの二つ以上の混合物が使用される。
【００１６】
その代わりに、あるいはそれに加えて、有害物質を吸収し、及び／又は結合するための補助物質として、有害物質と化学的に反応する粒子、例えばアミン−、エポキシド−、カルボキシル−、ヒドロキシル−又はイソシアネート−類属を有する化学的に反応する粒子、オクチルシランで後処理された酸化アルミニウムからなる化学的に反応する粒子、あるいは固体又は液体のモノマー、オリゴマー又はポリマー、シラン類、シラノール類又はシロキサン類も使用することができる。
【００１７】
補助材料は、好ましくは、特に約１０μｍから約１００μｍの範囲内の平均的な直径を有する多数の補助材料粒子からなる。
【００１８】
補助材料は、特に、例えばフィルタ補助材料の形式の、「プレコート」材料とも称される流動性の粒子状の材料である。
【００１９】
フィルタ補助材料は、特に、フィルタ部材の表面に阻止層として堆積することによって、この表面が付着する塗料オーバースプレイ粒子によってべとつくのを阻止するために用いられる。フィルタ部材を周期的に清掃することによって、有害物質と補助材料とからなる、特に塗料オーバースプレイとフィルタ補助材料とからなるシステムがフィルタ部材から収容容器内へ到達する。
【００２０】
有害物質を帯びた補助材料は、特に有害物質粒子と補助材料粒子とからなるシステムの混合物であることができる。例えば混合物は、有害物質の粒子と補助材料の粒子とからなる凝塊及び／又は集塊を有し得る。
【００２１】
有害物質の粒子は、特に塗料滴である。
【００２２】
補助材料の粒子は、特に石粉粒子である。
【００２３】
有害物質を帯びた未処理ガス流を浄化するために使用可能な補助材料は、好ましくは、補助材料の粒子の少なくとも大部分を未処理ガス流によって引きさらい、及び／又は収容できることを可能にする粒径分布を有している。
【００２４】
流動層ベース材料は化学的に、補助材料、特に処理すべき補助材料に実質的に合致することができる。
【００２５】
化学的に補助材料に実質的に合致する材料というのは、特に、補助材料と実質的に等しい化学組成を有する材料である。特に、化学的に補助材料に実質的に合致する材料は、補助材料と同一の物質から形成されている。
【００２６】
その代わりに、あるいはそれに加えて、流動層ベース材料は、処理すべき補助材料とは化学的に異なる補助材料を有することができる。この場合においては、流動層ベース材料が、場合によっては流動層ベース材料の粉砕プロセスの実施後に、流動層ベース材料を補助材料として使用することを可能にする化学組成を有すると有利であり得る。
【００２７】
特に、流動層ベース材料が処理すべき補助材料と互換であることができるので、処理された補助材料と、場合によっては粉砕された流動層ベース材料とからなる混合物が、有害物質を帯びた未処理ガス流を浄化するために使用可能である。
【００２８】
流動層ベース材料として、好ましくは、任意の粒子状の材料を使用することができる。これは、特に無機又は流動性の材料とすることができる。それは、純粋な物質として、例えば石灰石粉として、あるいは種々の物質からなる混合物として、例えば石灰石粉とゼオライトとからなる混合物として存在することができる。
【００２９】
有害物質を帯びた補助材料及び／又は流動層ベース材料を舞い上がらせることによって、好ましくは流動層、特に泡を形成する流動層及び／又は循環する流動層が形成される。
【００３０】
処理装置は、特に流動層炉として形成される。
【００３１】
フィルタ装置は、好ましくは再生可能なフィルタ装置である。
【００３２】
再生可能なフィルタ装置というのは、塗装装置を通して案内されるガス流から汚れを分離するため、特に有害物質を含む未処理ガス流から有害物質、特に塗料オーバースプレイを分離するための分離装置であって、そこで分離された汚れは、フィルタ装置のフィルタ部材を交換する必要なしに除去され得る。
【００３３】
再生可能なフィルタ装置というのは、特に一つ又は複数の乾燥フィルタ部材及び／又は乾燥分離装置を有するフィルタ装置でもあって、そこではガス流の浄化は実質的にフィルタ部材への液体の添加なしに行われる。それとは関係なく、（標準状態において）液状の溶剤又はクリーニング剤を使用しながら、後段又は前段のクリーニング段を設けることもできる。
【００３４】
再生可能なフィルタ装置においては、さらに、フィルタ装置がフィルタ作動中に阻止層及び／又は保護層を有する、少なくとも一つのフィルタ部材を有することができ、その層がフィルタ補助材料、特に石灰石粉を有している。
【００３５】
このようにして、フィルタ装置のフィルタ作動中に、フィルタ部材がフィルタ装置へ供給されるガス流からの汚れによって詰まることを阻止することができる。フィルタ装置のフィルタ部材から阻止層ないし保護層を除去することによって、フィルタ部材の特に簡単な再生を行うことができ、そのフィルタ部材は次に、新鮮な阻止層ないし新鮮な保護層を設けることによって新たに使用することができる。
【００３６】
塗料として、例えば粉末塗料又は流体塗料が考えられる。
【００３７】
その場合に「流体塗料」の概念は、「粉末塗料」とは異なる、液状からペースト状（例えばＰＶＣ−プラスチゾル（PVC-Plastisols）の場合）までの流動可能な稠度を有する塗料である。「流体塗料」の概念は、特に「液体塗料」と「湿性塗料」を含んでいる。
【００３８】
従って流体塗料を使用する場合に、塗装装置からの塗料オーバースプレイは、流体塗料オーバースプレイであって、湿性塗料を使用する場合には、湿性塗料オーバースプレイである。
【００３９】
流動層ベース材料の粒径分布の中央値が、未処理ガス流を浄化するために使用可能な補助材料の粒径分布の中央値より、及び／又は有害物質を帯びた補助材料の、特に有害物質と補助材料とからなるシステムの粒径分布の中央値よりも大きいと有利であり得る。
【００４０】
粒径分布の中央値は、存在する粒子の５０％が達しない粒径であって、存在する粒子の他の５０％はこの粒径よりも大きい。
【００４１】
特に、流動層ベース材料の粒径分布の中央値は、未処理ガス流を浄化するために使用可能な補助材料の粒径分布の中央値の、及び／又は有害物質を帯びた補助材料の粒径分布の中央値の、少なくとも約２倍、特に３倍、例えば１０倍であることが可能である。
【００４２】
さらに、流動層ベース材料の粒径分布の中央値は、未処理ガス流を浄化するために使用可能な補助材料の粒径分布の中央値の、及び／又は有害物質を帯びた補助材料の粒径分布の中央値の、最大で約１００倍、特に最大で約５０倍、特に最大で約３０倍であることが可能である。
【００４３】
本発明の一つの形態において、有害物質を帯びた補助材料が処理装置内で加熱され、その結果有害物質と補助材料とからなる凝集塊が破壊される。
【００４４】
有害物質を帯びた補助材料が処理装置内で加熱され、その結果有害物質が少なくとも部分的に変換されるのに対して、補助材料の粒子が変化しないと好都合であり得る。
【００４５】
その場合に特に、補助材料の粒子は化学的に変化しないままであることができる。
【００４６】
その場合に粒子というのは、特にフィルタ補助材料の場合には固体粒子でもあり、特に塗料オーバースプレイの場合には滴でもある。
【００４７】
特に有害物質と補助材料の粒子からなる凝集塊においては、好ましくは有害物質の乾燥及び／又は化学的変換が行われる。それによって有害物質、特に塗料オーバースプレイの粒子は、すべて変換され、例えば燃焼されるか、あるいは場合によってはその前に存在した付着性を少なくとも部分的に失うので、有害物質と補助材料とからなる凝集塊は、場合によっては有害物質の残渣を有する補助材料の粒子に分解する。
【００４８】
特に補助材料として石灰石粉を使用する場合に、石灰石粉の、特に炭酸カルシウムの、望ましくない化学変換を阻止するために、有害物質を帯びた補助材料は、処理装置内で最高で約５５０℃に、例えば最高で約５００℃に加熱され得る。
【００４９】
処理装置は、好ましくは、泡を形成する流動層及び／又は循環する流動層が形成されるように作動される。
【００５０】
例えば、流動層のための収容部が重力方向とは逆に上方へ向かって拡幅する部分を有することができ、それによっていわゆる「フリーボード（Freeboard）」を形成することができる。
【００５１】
処理装置が、次のように、すなわち補助材料の、特に有害物質を帯びた補助材料及び／又は流動層ベース材料からなる混合物の粒径分布に勾配が形成されるように作動され、その場合に補助材料の、特に混合物の、粒径分布の中央値が重力方向の下方へ向かって増大すると有利であり得る。
【００５２】
補助材料の小さい粒子、等に有害物質による汚れのないもの、及び好ましくは流動層ベース材料の破片が、補助材料の、特に有害物質を帯びた補助材料と流動層ベース材料からなる混合物の、重力方向に関して好ましくは上方の領域内に集まる。
【００５３】
本発明の一つの形態において、有害物質を帯びた補助材料は、熱的な処理装置内に舞い上がることによって形成される流動層の、重力方向に関して下方の領域内において流動層へ供給される。このようにして、有害物質を帯びた補助材料及び／又は流動層ベース材料からなる混合物内で、有害物質を帯びた補助材料の特に長い滞留時間を可能にすることができる。
【００５４】
舞い上がらせることによって形成される流動層の、重力方向に関して好ましくは上方の領域内に集まるかあるいは流動層から取り出された、有害物質と補助材料とからなるシステムの粒子、処理された補助材料の粒子、及び／又は流動層ベース材料の粒子は、好ましくは処理装置から排出される。
【００５５】
その場合に特に、粒子は、処理装置の越流管を用いて処理装置から排出することができる。
【００５６】
排出された粒子は、好ましくは補助材料として未処理ガス流を浄化するために使用することができる。
【００５７】
キャリアガス流が補助材料を舞い上がらせるために重力方向とは逆に下から上へ向かって補助材料を通して案内されると有利であり得る。
【００５８】
キャリアガス流が補助材料を舞い上がらせるために重力方向とは逆に下から上へ向かって補助材料を通して案内され、その場合にキャリアガス流が補助材料を貫流する前及び／又はその後に分離装置及び／又は燃焼装置へ供給されると有利であり得る。このようにして、処理装置から場合によっては有害な物質が不用意に逃げることを回避することができる。
【００５９】
分離装置は、特にフィルタ装置、例えばホットガスフィルタ、又はサイクロンとすることができる。
【００６０】
好ましくは補助材料を舞い上がらせるために補助材料を通して案内されるキャリアガス流は、特に加熱装置によって加熱することができる。それによって補助材料を貫流する際に、補助材料を加熱することができる。
【００６１】
燃焼装置が、熱的な後燃焼装置を有すると有利であり得る。このようにして、特に有機の蒸気と場合によっては健康を害するガス状の物質をできる限り完全に燃焼させることができるようにするために、補助材料の貫流後に、補助材料の貫流の間よりも高い温度を得ることができる。
【００６２】
補助材料の粒子及び／又は流動層ベース材料の粒子が、舞い上がらせることによって形成された流動層からキャリアガス流によって運び出されて、処理装置からの排出のために分離装置において分離されると有利であり得る。
【００６３】
そのために、分離装置は、流動層用の収容部から空間的に分離し、例えば横にずれて配置され得る。それによって特に、分離装置において分離された材料が、流動層の形成されている処理装置の収容部内へ戻ることが、有効に減少されるか又は完全に回避される。
【００６４】
好ましくは処理装置から排出される、有害物質を帯びた補助材料の粒子及び／又は流動層ベース材料の粒子は、特に未処理ガス流を浄化するために使用することができる。従ってこの補助材料は、処理された補助材料である。
【００６５】
さらに、補助材料を舞い上がらせるために、キャリアガス流は、重力方向とは逆に下から上へ向かって補助材料を通して案内されることができ、その場合にキャリアガス流は補助材料を貫流する前及び／又はその後に熱交換器及び／又は工作物を乾燥させるための乾燥装置へ供給される。このようにして、キャリアガス流内に存在する熱を効果的にさらに使用することができる。
【００６６】
キャリアガス流は、特に流動層を形成するため及び／又は維持するために用いられる。
【００６７】
排出されたキャリアガス流は、特に車両ボディを乾燥させるための乾燥装置へ供給されてよい。その代わりに、あるいはそれに加えて、キャリアガス流内に含まれる熱を熱交換器によって他のガス流又はその他の流体流へ伝達することができる。例えば、排出されたキャリアガス流に含まれる熱は、熱交換器によって工作物、特に車両ボディを乾燥させるための乾燥装置用の供給空気へ伝達されてよい。
【００６８】
キャリアガス流は、さらに工作物を乾燥させるための乾燥装置から来ることができ、及び／又は処理装置へ供給する前に熱交換器と乾燥装置からの流体流によって加熱されることができる。
【００６９】
本発明の一つの形態において、装置と設備、及び装置と設備の構成要素を制御及び／又は調節するための制御装置が設けられている。特に、処理装置は、少なくとも一つの制御装置によって本発明に係る方法に従って制御及び／又は調節されることができる。
【００７０】
本発明は、さらに、有機有害物質を帯びた未処理ガス流を浄化するために未処理ガス流内へ投入可能な補助材料であって、有害物質と補助材料とからなる安定したシステムを有機有害物質と共に形成する補助材料を熱的に処理するための処理設備に関する。
【００７１】
これに関して本発明の課題は、資源を節約する様態で補助材料を簡単に処理することができる処理設備を提供することである。
【００７２】
この課題は、補助材料を熱的に処理するための処理設備において、処理設備が：
処理された補助材料を形成するために、有機有害物質の少なくとも一部を化学的に変換するための熱的な処理装置；
有害物質と補助材料とからなるシステム及び標準状態に対して加熱されたキャリアガス流を熱的な処理装置へ供給するための供給装置；
ガス流による移送を介して、処理された補助材料を、有機有害物質を帯びた補助材料から分離するための分離装置；
処理された補助材料を処理装置から排出するための排出装置；を有することによって解決される。
【００７３】
本発明に係る処理設備は、好ましくは補助材料を熱的に処理するための本発明に係る方法に関連して説明した個々の、あるいは複数の特徴及び／又は利点を有している。
【００７４】
特に、供給装置によって、有害物質を帯びた補助材料を、熱的な処理装置内で舞い上がらせることによって形成された流動層の、重力方向に関して下方の領域内で流動層へ供給することができる。特にそのために、有害物質を帯びた補助材料は、補助材料及び／又は流動層ベース材料を収容するための、処理装置の収容部の、重力方向に関して下方の領域へ供給することができる。
【００７５】
処理装置は、特に流動層炉として形成される。
【００７６】
特に、処理装置が、ガスを透過する底部を備えた収容部を有することができる。このようにして、収容部内に収容された材料、特に流動層ベース材料及び／又は有害物質を帯びた補助材料には、特に簡単にガス、特にキャリアガスが流れつき、それを貫流し、従って舞い上がらせることができる。
【００７７】
さらに、処理設備が加熱装置を有することができ、その加熱装置によって収容部、ガスを透過する底部及び／又は供給されるガス、すなわちキャリアガス流を加熱できる。
【００７８】
排出装置によって補助材料の、特に有害物質を帯びた補助材料の粒子及び／又は流動層ベース材料の粒子が、舞い上がらせることによって形成された流動層の重力方向に関して上方の領域内で排出可能であるなら、好都合であり得る。そのための特に、越流管を設けることができる。
【００７９】
処理設備が分離装置及び／又は燃焼装置を有し、それへキャリアガス流が供給可能であって、そのキャリアガス流が特に、流動層ベース材料及び／又は有害物質を帯びた補助材料を舞い上がらせるために、流動層ベース材料及び／又は有害物質を帯びた補助材料を通して案内されるなら、好都合であり得る。
【００８０】
本発明に係る処理設備は、特に塗装設備内で使用するのに適している。
【００８１】
本発明は、さらに、工作物を塗装するための塗装設備に関する。
【００８２】
これに関して本発明の課題は、特に資源を節約する様態で簡単に作動可能な塗装設備を提供することである。
【００８３】
この課題は、本発明によれば、工作物、特に車両ボディを塗装するための塗装設備が：
塗料によって工作物を塗装することができる、塗装装置；
塗装装置内で生成される、塗料オーバースプレイを帯びた未処理ガス流を、未処理ガス流へフィルタ補助材料を供給して、塗料オーバースプレイをフィルタ補助材料と共にフィルタ部材において分離することによって浄化するためのフィルタ装置；及び
本発明に係る処理設備；を有し、
その場合に有機有害物質が塗料オーバースプレイであり、かつその場合に補助材料がフィルタ補助材料であることによって、解決される。
【００８４】
本発明に係る処理設備を使用することによって、本発明に係る塗装設備は特に資源を節約する様態で簡単に作動可能である。
【００８５】
塗装設備は、好ましくはさらに、混合装置を有しており、その混合装置によって新鮮な補助材料と処理された補助材料を一緒に供給することができ、かつ混合することができる。混合された補助材料は、好ましくは塗装設備のフィルタ装置へ供給可能である。
【００８６】
さらに、塗装設備は、有害物質を帯びた補助材料内の有害物質の割合、すなわち有害物質による補助材料の付着度を測定し、及び／又は求めるための少なくとも一つの測定装置を有することができる。
【００８７】
さらに、本発明に係る方法、本発明に係る処理装置及び／又は本発明に係る塗装設備は、以下で説明する特徴及び／又は利点の各々のもの、あるいはその複数を有することができる。
【００８８】
流動層ベース材料の粒子の破片は、好ましくは処理すべき補助材料の、特に場合によっては補助材料内に残る残留物質、特に金属塗料のアルミニウムフレーク、を希薄にするために用いられる。
【００８９】
特に、補助材料として石灰石粉を使用する場合に、処理装置内の流動層ベース材料及び／又は補助材料の温度は、石灰石粉が燃焼もせず、か焼も行われないように、選択することができる。特に、前記方法は、石灰石粉の燃焼とか焼の間の温度プラトーにおいて実施されることができる。
【００９０】
また、処理装置は、流動層ベース材料及び／又は補助材料が化学的に変換される、極めて高い温度において作動されることができる。その場合に生じる材料は、特に他のやり方で使用され得る。
【００９１】
補助材料及び／又は流動層ベース材料として、ゼオライトを使用することができる。ゼオライトは、比較的高い温度において好適にわずかしか変化しない。
【００９２】
流動層ベース材料として、及び／又は補助材料としての無機材料、例えば石英（SiO2）を使用することは、例えば１０００℃までの、極めて高い温度の使用を可能にする。それによって特に、補助材料から有機材料を燃焼して除くことができる。その場合に、熱的な後燃焼は好ましくは省かれる。修正された例において、流動層ベース材料として及び／又は補助材料として砂、場合によっては混合物として石英砂も使用される。
【００９３】
熱的な後燃焼（TNV）によって、特に流動層ベース材料及び／又は有害物質を帯びた補助材料を通して案内されるガス流、特にキャリアガス流内に含まれる物質を燃焼させることができる。
【００９４】
熱的な後燃焼装置は、例えば処理設備に対応づけられた、別体の後燃焼装置であっても、あるいは塗装設備内にすでに存在している熱的な後燃焼装置であってもよい。
【００９５】
熱的な後燃焼装置は、好ましくは処理設備の分離装置の後に、特にホットガスフィルタの後に配置される。
【００９６】
熱的な後燃焼装置がガスバーナーとして形成されていると、好都合であり得る。それによって特に、流動層ベース材料及び／又は有害物質を帯びた補助材料を通して案内されるガス流の不完全燃焼された、有機構成要素が完全に燃焼されて二酸化炭素になることができる。
【００９７】
処理設備のために別体の熱的な後燃焼装置を使用することは、塗装設備への処理設備の統合を容易にする。というのは、その場合に処理設備の据付場所は、塗装設備の熱的な後燃焼装置に実質的に依存しないからである。
【００９８】
燃焼は、好ましく発熱プロセスであるので、その場合に生じる廃熱は、他のプロセス空気、特にガス流を加熱し、特に予熱するために、使用することができる。それによって熱的な処理装置の必要な加熱出力は、効果的に減少させることができる。
【００９９】
流動層ベース材料及び／又は有害物質を帯びた補助材料を通して案内されるガス流を加熱するための加熱装置として、好ましくは電気的な加熱装置が使用される。
【０１００】
その代わりに、あるいはそれに加えて、ガス流は、工作物、特に車両ボディを乾燥させるための乾燥装置からの排気によって加熱されることができる。その場合に特に、乾燥装置の排気の一部を分岐し、処理装置、特に流動層ベース材料及び／又は有害物質を帯びた補助材料を通して案内して、場合によっては次に熱的な後燃焼装置へ供給することができる。それによって、熱的な後燃焼装置へ供給される空気体積流全体と、それに基づいて熱的な後燃焼装置の設計と大きさも、好ましくは少なくとも近似的に変化しない。
【０１０１】
乾燥装置からの排気が溶剤を含んでいると、好都合であり得る。それによって、ガス流として排気を流動層ベース材料及び／又は有害物質を帯びた補助材料内へ導入する場合に、すでにガス流内に含まれている溶剤をガス流の加熱のために使用することができるので、加熱するためにより少ないエネルギしか必要とされない。
【０１０２】
複数のプロセス空気流（ガス流）が、特に制御弁を介して、処理装置内へ導入されると、好都合であり得る。特に異なる熱さのプロセス空気流を使用する場合に、制御弁を使用することによって処理装置へ供給されるガス流の温度を目標に合わせて調節することができる。
【０１０３】
特に、発熱プロセスを補償するために、ガス流の部分空気流を、例えば７００℃の温度に過熱することができる。
【０１０４】
さらに、部分空気流が他のガス、例えば窒素、酸素、二酸化炭素からなり、あるいは濃度を高めた他のガスを有することができ、それによって処理装置内のこのガスの反応により、有害物質の燃焼及び／又は変換を調節することができる。
【０１０５】
二つのプロセス空気流を処理装置内へ次のように導入することができ、すなわち各プロセス空気流を、バーナーを介して、従ってプロセス温度をもって、あるいはバーナーなしで、従って室温で、処理装置内へ導入することができる。それによって、プロセス空気流の一つが乾燥装置の排気である場合に、塗装設備の可能な状態変化（作動状態変化）に極めてフレキシブルに反応することができる。例えば、排気がすでに予め定められた温度水準を有している場合に、乾燥装置の排気によって処理装置、特に流動層ベース材料及び／又は有害物質を帯びた補助材料の迅速な加熱を行うことができる。さらにそれによって、処理装置は、乾燥装置の作動なしでも確実に作動することができる。排気からの溶剤は、処理装置の燃焼室内で、特に流動層ベース材料及び／又は有害物質を帯びた補助材料の領域内で、燃焼されることができる。それによって、有害物質を帯びた補助材料内の様々な塗料濃度（付着度）を、効果的に補償することができる。さらに、処理装置は、その温度が室温である空気によって、冷却することができる。
【０１０６】
処理装置内へ導入される、特に流動層ベース材料及び／又は有害物質を帯びた補助材料を通して案内される部分空気流は、処理装置の排気であって、特に約４００℃を越える温度を有している。この部分空気流は、処理装置の全排気又はその任意の部分を有することができる。
【０１０７】
また、部分空気流を処理装置の互いに異なる箇所において、処理装置内へ導入することができ、特に流動層ベース材料及び／又は有害物質を帯びた補助材料へ供給することができる。例えば、特に流動層の形成を改良するために、部分空気流を流動層ベース材料及び／又は有害物質を帯びた補助材料のための収容部の底部を介して、特に流動層を介して、直接供給することができる。
【０１０８】
特に、特殊なノズル幾何学配置を介して、プロセス空気の供給によっていわゆるフリーボード内に渦を発生させることができ、その渦が流動層からの粒子の取り出しを支援し、あるいは困難にし、すなわち処理装置内の粒子の対流時間を減少させ、ないしは延長することができる。
【０１０９】
プロセス空気を種々の箇所において処理装置内へ導入すると、好都合であり得る。それによって特に、処理装置内に「化学量論的層形成」を発生させることができ、すなわち処理装置内の種々の箇所において異なる酸素濃度が支配する。すなわち、化学量論的に過剰に存在する酸素が、特に、最高で約５５０℃の好ましい材料温度において、不完全に進行する燃焼反応を支援するために、有害物質の燃焼を支援することができる。その場合に特に、粒子が浮遊して存在する場合に個々に行われる燃焼プロセスを支援することができる。
【０１１０】
熱的な処理装置のためのプロセス空気、すなわち特に流動層ベース材料及び／又は有害物質を帯びた補助材料を通して案内される空気（キャリアガス流）は、例えば空気熱交換器を介して予熱することができる。熱を放出するプロセス空気流として、特に熱的な処理装置からの排気流が考えられる。
【０１１１】
有機材料の、二酸化炭素への燃焼は、発熱プロセスであるので、場合によっては処理設備の立ち上げ段階（始動プロセス）後に、冷却が行われなければならない。冷却空気として、例えば屋内空気を供給することができる。そのために、熱的な後燃焼装置の熱交換器は、例えばバイパスによって迂回することができる。
【０１１２】
処理装置内の発熱反応が強くなりすぎる場合には、処理装置内で他の冷却が必要となることがある。そのために、特に、有害物質を帯びた補助材料及び／又は流動層ベース材料を舞い上がらせるために使用される空気量を増大させることができる。好ましくは、有害物質を帯びた補助材料が流動層を出ないように注意される。
【０１１３】
その代わりに、あるいはそれに加えて、有害物質を帯びた補助材料の熱的な処理装置へ、特に流動層ベース材料への供給を減少させるか、あるいは完全に止めることができる。その代わりに、あるいはそれに加えて、処理装置へ供給される空気量が次のように、すなわち酸素が化学量論的に不足して存在するまで減少される場合に、熱分解を行うことができるので、タール、煤及び／又は灰が生じることがある。
【０１１４】
処理装置は、好ましくは制御及び調節装置を有しており、それを用いて処理装置へ供給されるガス流、処理装置へ供給されるガス流の質量流及び有害物質を帯びた補助材料の量を制御及び／又は調節することができる。
【０１１５】
調節は、例えば、測定装置によって求められた、処理装置内の酸素含有量に従って行うことができる。すなわち、処理装置内の酸素濃度があまりに少なく、例えば約５％以下の場合に、制御装置によって、有害物質を帯びた補助材料の供給を絞るか、あるいは完全に止めることができる。そのために、供給装置、例えばウォームコンベアは、例えば周波数コンバータによって制御することができ、その周波数コンバータは測定装置の酸素センサの信号に従って、特に完全なコンベアストップまで絞られる。それによって、有害物質を帯びた補助材料が供給される前に、有害物質を帯びた補助材料の有害物質を実質的に完全に焼き払えることを保証することができる。
【０１１６】
本発明の一つの形態において、流動層ベース材料及び／又は有害物質を帯びた補助材料を収容するための収容装置であって、好ましくはその中で舞い上がらせることによって流動層を形成することができる収容装置内に、流れガイド（空気ガイド）、例えばパイプを例えば中央にセンタリングして配置することができる。その中でガス流が、好ましくは流れ方向に上から下へ向かって流れて、支配的な温度によってすでに予熱される。従ってパイプ導管は少なくとも部分的に、好ましくは大部分、あるいは完全に、処理装置の内部に延びることができる。
【０１１７】
処理装置が収容部を有し、その底部がノズル底として形成されていると、好都合であり得る。特に、ノズル底はベル形底として形成されてよい。ノズル底を使用する場合に、特に、有害物質を帯びた補助材料及び／又は流動層ベース材料を舞い上がらせるためのガス流を導入する場合に、わずかな圧力損失が生じる。
【０１１８】
その代わりに、処理装置の収容部の底部が、流動化装置、例えば焼結セラミック又は焼結金属から形成される流動化装置を有することができる。それによってガス流は、底部の面全体にわたって特に均一に導入されることができる。従って構造的に特に簡単なやり方で、有害物質を帯びた補助材料を効果的に、特に流動層ベース材料と共に舞い上がらせることが可能である。
【０１１９】
好ましくは処理装置内で有機成分を有する他の物質を燃焼させることができる。例えば、塗装ブースとして形成されている、塗装設備の塗装装置から取り外した後の塗料で汚れているブースのフィルム膜を粉砕し、特にシュレッダー処理し、付加的な固体流として流動層ベース材料及び／又は有害物質を帯びた補助材料へ供給することができる。それによって処理すべき材料の発熱価を増大させることができる。
【０１２０】
処理設備は、好ましくは、複数の物質流、材料流及び／又はガス流が存在する場合でも、有害物質を帯びた補助材料の熱的な処理が、ガス流と処理すべき有害物質を帯びた補助材料とを使用するだけで常に可能であるように形成されている。
【０１２１】
本発明の一つの形態において、処理装置がホットガスフィルタを有し、それを通してガス流が案内されるようにすることができる。処理装置は、好ましくは連続的に、供給装置、例えばウォームコンベアによって、有害物質を帯びた補助材料を装填され、その補助材料はそのために、例えば処理装置の収容部の底部のすぐ上で供給される。処理装置内へ材料を投入することによって、処理装置内の充填高さが上昇する。例えば舞い上がることによって形成された流動層の、重力方向に関して上方の端部に集まる、補助材料の粒子及び／又は流動層ベース材料の破片は、例えば越流管を用いて処理装置から排出することができる。このようにして取り出された、処理された補助材料は、その後好ましくは冷却される。
【０１２２】
他の実施形態において、処理装置が収容部（パイプ）を有し、その中で熱的な処理が行われ、従って補助材料及び／又は流動層ベース材料が著しく加熱されるようにすることができる。処理された補助材料が第１の前記収容部から例えば越流管を用いて導入される処理装置の他の収容部（パイプ）内で、処理された補助材料がそれを冷却するために冷たいガス流で流動化される。その場合に冷たいガス流は、処理された補助材料の熱を吸収するので、第２の収容部は全体として例えば約３５０℃の温度に冷却することができる。暖められた空気は、その後フィルタ装置を介して排出することができ、そのフィルタ装置は第２の収容部に隣接し、あるいは第２の収容部内に配置されている。その場合に空気の温度は、好ましくは、その中に含まれる有機物質の凝縮温度より高い。従って特にフィルタ装置において、有機物質の凝縮が効果的に減少されるかあるいは完全に回避される。
【０１２３】
熱的な処理装置内で有害物質を帯びた補助材料及び／又は流動層ベース材料を舞い上がらせることによって、泡を形成する流動層が形成されると、好都合であり得る。それによって流動層からの固体取り出しが最小限に抑えられる。その場合に好ましくは、燃焼すべき有害物質に対する空気酸素の最適な比が選択される。
【０１２４】
その代わりに、有害物質を帯びた補助材料及び／又は流動層ベース材料を舞い上がらせることによって循環する流動層が形成されるようにすることができる。処理装置が、重力方向とは逆に上方へ向かって増大する横断面を有する収容部（拡幅された「フリーボード」）を有していると、好都合であり得る。それによって流動層から取り出された小さい粒子は、ガス流速度の低下によって減速させられるので、流動層内へ落ちて戻ることができる。
【０１２５】
本発明の他の形態において、処理された補助材料はフィルタ装置を介して処理装置から排出することができる。特に、循環する流動層の形成がそのために提供されてよい。そのためにフィルタ装置、特にホットガスフィルタは、収容部の、特に流動層の垂直の投影の外部に配置されている。従って、場合によっては清掃する際に、フィルタ装置において分離された粒子がフィルタ装置から流動層内へ再び落下することが、効果的に減少されるかあるいは完全に回避される。その代わりに、フィルタ装置の下方に配置された容器への落下が生じ得る。その場合に好ましくは、有害物質の有機成分の完全な変換を保証することができるようにするために、処理装置は、粒子が処理装置内で長い滞留時間を有するように作動される。
【０１２６】
さらに、処理装置が二つの収容部（上述したような）と、処理された補助材料を排出するためのフィルタ装置（上述したような）とを有していると、好都合であり得る。
【０１２７】
処理装置は、好ましくは、有害物質を帯びた未処理ガス流を浄化するためのクリーニング装置、特に再生可能なフィルタモジュールを有するフィルタ装置内に統合される。
【０１２８】
補助材料は、未処理ガス流を浄化するためのフィルタ装置から好ましくは自動的に取り出されて処理装置へ供給される。
【０１２９】
好ましくは、特に自動的なあるいは手動で作動されるバッファ装置が設けられて、その中で、未処理ガス流を浄化するためのフィルタ装置からの有害物質を帯びた補助材料を中間貯蔵することができる。有害物質を帯びた補助材料がバッファ装置から処理装置へ供給される。
【０１３０】
バッファ装置は、特にバッファ容器を有しており、そのバッファ容器は、例えば約１立方メートル、特に約１００立方メートルの貯蔵容積を有している。
【０１３１】
有害物質を帯びた補助材料を処理装置へ供給することは、好ましくは、ウォーム熱交換器とも称される、冷却ウォームコンベアを介して行われる。処理装置へ供給される、有害物質を帯びた補助材料の冷却は、好ましくは、供給装置内でタールの凝縮が解けるのを阻止するために、処理装置へ供給するまでの温度が最高で約１２０℃であるように行われる。
【０１３２】
その代わりに、濃密な流れの移送を行うことができ、その場合に熱伝導を阻止するために移送導管は好ましくは冷却される。迅速な移送が行われる場合には、好ましくは補助材料の冷却を省くことができる。
【０１３３】
さらにその代わりに、供給装置として流れ装置及び／又は揺動溝を設けることができる。
【０１３４】
流動層ベース材料の平均的な粒径は、好ましくは約０．１ｍｍから約１０ｍｍの間、特に約０．３ｍｍから約３ｍｍの間である。
【０１３５】
新鮮な、及び／又は処理された補助材料の粒径分布の中央値は、好ましくは約１０μｍと約５０μｍの間、特に約１５μｍと約３０μｍの間である。
【０１３６】
有害物質を帯びた補助材料の粒径分布の中央値は、例えば約５０μｍから約６０μｍである。
【０１３７】
本発明の他の好ましい特徴及び／又は利点は以下の説明及び実施例の図面表示の対象である。
【図面の簡単な説明】
【０１３８】
【図１】工作物を塗装する塗装設備を図式的に示す垂直の断面図である。
【図２】補助材料を処理するための処理設備の第１の実施形態を示す図式的な垂直の断面図である。
【図３】処理設備の第２の実施形態の、図２と同様の図式的な表示であって、処理設備の処理装置からの排気が処理装置のための供給空気を加熱するために使用される。
【図４】処理設備の第３の実施形態の、図２と同様の図式的な表示であって、熱的な後燃焼装置が設けられている。
【図５】処理設備の第４の実施形態の、図２と同様の図式的な表示であって、処理装置のための混合された供給空気流として複数の部分空気流が準備される。
【図６】処理設備の第５の実施形態の、図２と同様の図式的な表示であって、処理装置の種々の箇所に空気が供給される。
【図７】処理設備の第５の実施形態の、図２と同様の図式的な表示であって、供給空気のための空気導管が処理装置の内部に延びている。
【図８】処理設備の第７の実施形態を図式的に示す垂直の断面図であって、熱的な後燃焼装置と、処理設備の処理装置のための供給空気を加熱するための、バイパスを備えた熱交換器とが設けられている。
【図９】処理設備の第８の実施形態の、図８と同様の図式的な表示であって、処理設備が工作物を乾燥させるための乾燥装置と結合されている。
【図１０】処理設備の第９の実施形態の、図８と同様の図式的な表示であって、処理設備の処理装置のための供給空気を加熱するための電気的な加熱装置が設けられている。
【図１１】処理設備の第１０の実施形態の、図８と同様の図式的な表示であって、処理設備の処理装置と工作物を乾燥させるための乾燥装置とを作動させるための循環する空気回路が設けられている。
【図１２】処理設備の第１１の実施形態の、図８と同様の図式的な表示であって、電気的な加熱装置と熱交換器が設けられている。
【図１３】処理設備の第１２の実施形態の、図８と同様の図式的な表示であって、処理設備の処理装置内のガス濃度を求めるための測定装置が設けられている。
【図１４】処理設備の処理装置の図式的な表示であって、その中に泡を形成する流動層が形成されている。
【図１５】処理設備の処理装置の図式的な表示であって、その中に循環する流動層が形成されている。
【図１６】処理設備の第１３の実施形態の、図８と同様の図式的な表示であって、処理された補助材料のフィルタ装置による排出が行われる。
【図１７】有害物質を帯びた補助材料と処理された補助材料を中間貯蔵するためのバッファ装置を有する、処理設備の第１４の実施形態の図式的な表示である。
【発明を実施するための形態】
【０１３９】
同一又は機能的に等価の部材には、全図において同一の参照符号が設けられている。
【０１４０】
図１において全体を符号１００で示される塗装設備は、塗装ブースとして形成された塗装装置１０２を有し、その中で工作物１０４、例えば車両ボディは、塗料を付着させることができる（塗装可能である）。
【０１４１】
そのために、工作物１０４は、工作物移送装置１０８によって塗装装置１０２の塗布領域１０６へ送給可能でありかつ塗布領域１０６から再び遠ざけられることが可能である。
【０１４２】
塗装設備１００は、さらに、塗装装置１０２の上方に配置されたプレナム１１０を有しており、それを用いて塗布領域１０６へ空気が供給可能である。
【０１４３】
さらに、塗装設備１００は、塗装装置１０２の下方に配置されたフィルタ設備１１２を有しており、塗布領域１０６を通して案内される空気であって、工作物１０４上に塗料を塗布することによって塗料オーバースプレイとして形成された有害物質を吸収した空気を、前記フィルタ設備を用いて浄化することができる。
【０１４４】
フィルタ設備１１２は、複数のフィルタ装置１１４を有している。
【０１４５】
各フィルタ装置１１４は、未処理ガスチャンバ１１８を画成するケーシング１１６を有しており、かつそのケーシング内に少なくとも一つのフィルタ部材１２０が配置されている。
【０１４６】
さらに、フィルタ装置１１４は、流入通路１２２を有しており、それを通して、塗布領域１０６を通って案内される、有害物質を帯びた空気によって形成される未処理ガス流がフィルタ装置１１４の未処理ガスチャンバ１１８内へ流入することができる。
【０１４７】
フィルタ装置１１４は、乾燥フィルタ装置として形成されており、すなわち未処理ガスの浄化が実質的にフィルタ部材１２０への液体の添加なしで行われる。むしろ、補助材料、特にフィルタ補助材料を未処理ガスに供給することができ、前記補助材料が好ましくは有害物質内の液体成分を吸収して、有害物質を帯びた補助材料としてフィルタ部材１２０において有害物質と共に分離され得る。補助材料は、有害物質と補助材料とからなる安定したシステムを有害物質と共に形成する。
【０１４８】
未処理ガス流の浄化によって、清浄なガス流が得られ、それが清浄ガス導管１２３を通ってフィルタ装置１１４を出て行く。
【０１４９】
フィルタ部材１２０において有害物質が補助材料と共に分離されることによって、阻止層ないし保護層が形成され、それはフィルタ部材１２０から簡単に除去され得る。
【０１５０】
従ってフィルタ装置１１４は、再生可能なフィルタ装置１１４であり、それはフィルタ部材１２０を交換することなしに再生されて、新たに使用され得る。
【０１５１】
フィルタ部材１２０から除去された、有害物質を帯びた補助材料は、フィルタ部材１２０の下方に配置されている、フィルタ装置１１４の収容容器１２４内に収容することができる。
【０１５２】
フィルタ装置１１４の所定の稼働期間の後に、未処理ガス流の確実な浄化とフィルタ部材１２０の安全な保護をさらに可能にするためには、補助材料はあまりに激しく有害物質を帯びている。従って有害物質を帯びた補助材料は、規則的に処理されなければならず、及び／又は新しい補助材料と交換されなければならない。
【０１５３】
補助材料を処理するために、塗装設備１００は熱的な処理設備１２６を有している（図２を参照）。
【０１５４】
熱的な処理設備１２６の、図２に示される第１の実施形態において、処理設備１２６は処理装置１２８を有しており、その処理装置は特に流動層炉１３０として形成されている。
【０１５５】
処理装置１２８は、流動層ベース材料と、補助材料、特に有害物質を帯びた補助材料とを収容するための収容部１３２を有している。
【０１５６】
しかし、流動層ベース材料の使用は、他の実施形態においては、省くこともできる。
【０１５７】
流動層ベース材料の使用は、例えば補助材料の粒子間の結合力に基づいて、及び／又は粒径に基づいて、それ自体単独で巻き上げられることができない補助材料を処理しようとする場合に有利である。
【０１５８】
収容部１３２の底部１３４は、例えばノズル底１３６として、特にベル形底１３８として形成されていて、底部１３４を通して供給空気を収容部１３２内の流動層ベース材料と補助材料、特に有害物質と補助材料とからなるシステムへ供給することを可能にする。
【０１５９】
収容部１３２の底部１３４を通して供給空気を供給することによって、収容部１３２内の流動層ベース材料及び／又は有害物質と補助材料のシステムからなる流動層１４０を形成することができる。
【０１６０】
収容部１３２のベル形底１３８は、多数のノズル１４２を有しており、それらノズルは、例えばベル状にカバー１４４を有している。
【０１６１】
処理設備１２６の供給空気導管１４６によって、処理装置１２８の収容部１３２へ供給空気を供給することができる。
【０１６２】
さらに、処理設備１２６は、供給空気を加熱するために用いられる、加熱装置１４８、特にバーナーを有している。
【０１６３】
加熱装置１４８によって加熱すべき、かつ処理装置１２８の収容部１３２へ供給すべき供給空気は、図２に示される処理設備１２６の第１の実施形態においては、処理設備１２６の周囲からの周囲空気、特に室内空気である。
【０１６４】
処理設備１２６の排気導管１５０によって、処理装置１２８の収容部１３２からガス流、特にキャリアガス流を排出することができ、そのガス流は、供給空気として供給空気導管１４６によって処理装置１２８の収容室１３２へ供給可能であり、かつ流動層ベース材料と有害物質を帯びた補助材料とを通して案内可能である。
【０１６５】
処理設備１２６は、分離装置１５２、例えばフィルタ装置１５４を有している。それによって排気の、特に流動層１４０を通して案内されたガス流の、望ましくない汚れが、処理設備１２６の周囲へ放出されることを、阻止することができる。
【０１６６】
さらに、分離装置１５２によって、特にフィルタ装置１５４によって、処理された補助材料を処理装置１２８の収容部１３２から排出することができる（さらに図１６も参照）。
【０１６７】
従って分離装置１５２は、処理された補助材料を処理装置１２８から排出するための排出装置１５６として用いることもできる。特に分離装置１５２は、処理された補助材料を、有害物質を帯びた補助材料から分離するための分離システム１５７の構成要素である。
【０１６８】
処理設備１２６は、さらに、供給装置１５８を有しており、その供給装置によって処理装置１２８の収容部１３２へ有害物質を帯びた補助材料を供給することができる。特に有害物質を帯びた補助材料は収容部１３２の、重力方向１６０に関して下方の領域１６１で収容部へ供給することができる。
【０１６９】
上で説明した処理設備１２６の第１の実施形態は、以下のように機能する：
【０１７０】
供給空気導管１４６を介して処理設備１２６の周囲から空気が吸い込まれて、供給空気として処理装置１２８の収容部１３２へ供給される。
【０１７１】
その場合に供給空気は、加熱装置１４８によって標準状態における温度（約２０℃から３０℃）を越えて、特に約５５０℃の温度に加熱される。
【０１７２】
供給空気は、ガス流、特にキャリアガス流として、収容部１３２の底部１３４を通して案内されて、収容部１３２内に配置されている流動層ベース材料を舞い上がらせて、流動層ベース材料を加熱する。それによって処理装置１２８の収容部１３２内に熱い流動層１４０が形成される。
【０１７３】
供給装置１５８によって流動層ベース材料に、例えば塗装設備１００のフィルタ設備１１２のフィルタ装置１１４から、有害物質を帯びた補助材料が供給される。
【０１７４】
その後、有害物質を帯びた補助材料が、処理装置１２８内で加熱されて、その際に処理される。
【０１７５】
従って処理装置１２８は、熱的な処理装置１２８である。
【０１７６】
従って処理設備１２６は、熱的な処理設備１２６である。
【０１７７】
有害物質を帯びた補助材料を加熱することによって、有害物質が少なくとも部分的に化学変換され、とくに燃焼されるかあるいは少なくとも有害物質の粘着性が減少されるので、有害物質の粒子と補助材料の粒子からなる凝集塊が壊れる。その場合に補助材料からなる粒子は、好ましくは化学的に変化しない。
【０１７８】
特に、有害物質を帯びた補助材料を加熱することによって、有害物質の有機成分が蒸発され、好ましくは燃焼されて、有害物質と補助材料からなるシステムから除去される。
【０１７９】
有害物質を除去された、補助材料からなる粒子は、比較的質量及び／又は大きさが小さいことに基づいて流動層１４０の、重力方向１６０に関して上方の領域１６２内に集まって、そこで貫流するガス流によって引きさらわれて、最終的に分離装置１５２において分離される。この粒子は、処理された補助材料として処理設備１２８から排出装置１５６によって除去されて、フィルタ設備１１２内で、特にフィルタ設備１１２のフィルタ装置１１４内で、未処理ガス流を浄化するために再使用することができる。
【０１８０】
その場合に、補助材料として特に石灰石粉が考えられる。
【０１８１】
流動層ベース材料も、好ましくは石灰石粉末であるが、好ましくはより大きい粒子直径の粒子を有している。例えば、流動層ベース材料の粒子は、平均して、補助材料の少なくとも約１０倍、例えば約５０倍大きい。
【０１８２】
処理設備１２６の作動中に、流動層ベース材料は摩耗によって次々と細かく砕かれるので、補助材料の粒子と同様の大きさを有する、流動層材料からなる粒子が形成される。流動層ベース材料は、好ましくは、補助材料として使用される材料の化学組成に合致する化学組成を有しているので、流動層ベース材料の小さい粒子も排出装置１５６によって処理装置１２８から排出されて、処理された補助材料としてフィルタ設備１１２内で未処理ガス流を浄化するために使用することができる。
【０１８３】
図３に示される熱的な処理設備１２６の第２の実施形態は、図２に示される第１の実施形態から実質的に、分離装置１５２を通して案内された排気が周囲へ利用されずに放出されないことによって、区別される。むしろ、熱交換器１６４が設けられており、それを用いて処理装置１２８からの排気に含まれる熱を少なくとも部分的に、処理装置１２８へ供給すべき供給空気へ伝達することができる。それによって加熱装置１４８の燃料需要を効果的に減少させることができる。
【０１８４】
その他においては、図３に示される処理設備１２６の第２の実施形態は、構造と機能に関して図２に示される第１の実施形態と一致するので、その限りにおいてその上述した説明が参照される。
【０１８５】
図４に示される熱的な処理設備１２６の第３の実施形態は、図２に示される第１の実施形態から実質的に、処理装置１２８のための供給空気として、工作物１０４、特に車両ボディを乾燥させるための（後述する）乾燥装置からの排気が使用されることによって、区別される。
【０１８６】
さらに、図４に示される処理設備１２６の第３の実施形態において、燃焼装置１６６、特に熱的な後燃焼装置１６８が設けられている。
【０１８７】
その場合に、乾燥装置からの排気は、部分的に処理装置１２８へ供給され、及び部分的に直接、熱的な後燃焼装置１６８へ供給される。
【０１８８】
処理装置１２８からの排気は、図４に示される処理設備１２６の第３の実施形態においては、排気導管１５０によって分離装置１５２を貫流した後に熱的な後処理装置１６８へ同様に供給される。
【０１８９】
処理装置１２８のための供給空気として乾燥装置からの排気を使用することによって、加熱装置１４８の燃料需要を減少させることができる。これは、一方で、乾燥装置の排気がすでに上昇した温度を有していることによるものである。他方で、乾燥装置からの排気は、大体において燃焼可能な溶剤を含んでおり、それは、処理装置１２８内で燃焼する際に、加熱装置１４８による追加の加熱を回避しながら、やはり温度上昇に寄与する。
【０１９０】
熱的な後燃焼装置１６８は、乾燥装置の排気からの、及び処理装置１２８の排気からのすべての有機物質及び場合によっては健康を害する他の物質を除去するために用いられる。特に熱的な後燃焼装置１６８によって、望ましくない物質を化学的に変換するために極めて高い温度を使用することができる。
【０１９１】
熱的な後燃焼によって排気からの、特に処理装置の排気からの有機物質を除去する代わりに、あるいはそれに加えて、凝縮分離器を使用することができる。その場合に熱交換器によって、空気流の温度が、分離すべき有機物質の露点以下に冷却される。凝縮された物質は、収集容器内に収容される。
【０１９２】
その他において、図４に示される処理設備１２６の第３の実施形態は、図２に示される第１の実施形態と一致するので、その限りにおいてその上述した説明が参照される。
【０１９３】
図５に示される処理設備１２６の第４の実施形態は、図４に示される第３の実施形態から実質的に、処理設備１２６が弁装置１７０を有しており、その弁装置によって処理装置１２８のための供給空気が選択的に種々のソースから、特に周囲空気、例えば室内空気、あるいは乾燥装置の排気から準備することができることによって、区別される。
【０１９４】
さらに、準備された空気は、弁装置１７０によって選択的に加熱装置１４８へ供給されて加熱されるかあるいは加熱装置１４８を迂回して案内されることができる。
【０１９５】
処理設備１２６の制御装置１７２によって、弁装置１７０は特に、処理装置１２８の収容部１３２内の温度が実質的に一定であるように制御及び／又は調節されることができる。
【０１９６】
処理装置１２８の収容部１３２内の温度を検査するために、測定装置１７４が設けられている。
【０１９７】
好ましくは、供給装置１５８と排出装置１５６も、制御装置１７２によって制御及び／又は調節されることができる。
【０１９８】
その他において、図５に示される処理設備１２６の第４の実施形態は、構造と機能に関して図４に示される第３の実施形態と一致するので、その限りにおいてその上述した説明が参照される。
【０１９９】
図６に示される熱的な処理設備１２６の第５の実施形態は、図２に示される第１の実施形態から実質的に、処理装置１２８のための供給空気が種々の箇所において処理装置１２８の収容部１３２内へ導入されることによって、区別される。
【０２００】
一方で、流動層ベース材料と有害物質を帯びた補助材料を舞い上がらせることを可能にするために、供給空気は収容部１３２の底部１３４を介して導入される。
【０２０１】
さらに、処理された補助材料の舞い上がり及び／又は排出を望ましい様態で調節することができるようにするために、供給空気が流動層１４０の上方の種々の箇所において導入される。
【０２０２】
その他において、図６に示される処理設備１２６の第５の実施形態は、構造と機能に関して図５に示される第４の実施形態と一致するので、その限りにおいてその上述した説明が参照される。
【０２０３】
図７に示される熱的な処理設備１２６の第６の実施形態は、図２に示される第１の実施形態から実質的に、処理装置１２８が空気導管１７６を有しており、それが実質的に垂直に方向付けされて、処理装置１２８の収容部１３２の中央に配置されており、かつ実質的に処理装置１２８の収容部１３２の長さ全体にわたって延びていることによって、区別される。
【０２０４】
空気導管１７６は、収容部１３２の底部１３４への空気の供給を可能にし、その場合に空気は重力方向１６０において上から処理装置１２８の収容部１３２を通って案内され、従って処理装置１２８の作動中に自動的に加熱される。
【０２０５】
それによって処理装置１２８内に生じる、及び／又は存在する熱を、加熱の必要性を最小限に抑えるために、効果的に利用することができる。
【０２０６】
その他において、図７に示される処理設備１２６の第６の実施形態は、図２に示される第１の実施形態と一致するので、その限りにおいてその上述した説明が参照される。
【０２０７】
図８に示される熱的な処理設備１２６の第７の実施形態は、図２に示される第１の実施形態から実質的に、処理設備１２６が熱的な後燃焼装置１６８を有していることによって、区別される（図４と５に示される第３と第４の実施形態も参照）。
【０２０８】
その場合に処理装置１２８からの排気は、熱的な後燃焼装置１６８へ供給されて、そこで著しく加熱される。
【０２０９】
熱的な後燃焼装置１６８からの加熱された排気も、処理装置１２８のための供給空気も、加熱された排気から、加熱すべき供給空気へ熱を伝達するために熱交換器１６４へ供給される。
【０２１０】
供給空気及び／又は収容装置１２８の過熱を阻止するために、加熱された排気は、部分的に又は全部、バイパス１７８によって熱交換器１６４を迂回して案内され得る。
【０２１１】
熱交換器１６４を通して案内される排気の割合とバイパス１７８によって熱交換器１６４を迂回して案内される排気の割合を調節するために、図８に示される処理設備１２６の第７の実施形態においては、弁装置１７０が設けられている。弁装置１７０は、例えば制御装置１７２によって制御可能である（特に図５に示される第４の実施形態を参照）。
【０２１２】
処理された補助材料を、有害物質を帯びた補助材料から分離するために、越流装置１７９として形成された分離システム１５７を設けることができる。好ましくは、流動層１４０の上方の領域１６２内に配置されている、この越流装置１７９によって、上方の領域１６２内に集まった、処理された補助材料を、特に下方の領域１６１内に集まった、有害物質を帯びた補助材料から分離することができる。
【０２１３】
その他においては、図８に示される処理設備１２６の第７の実施形態は、構造と機能に関して、図２に示される第１の実施形態と一致するので、その限りにおいてその上述した説明が参照される。
【０２１４】
図９に示される熱的な処理設備１２６の第８の実施形態は、図８に示される第７の実施形態から実質的に、処理装置１２８の空気導管路（供給空気と排気）が、熱交換器１６４と共に、工作物１０４、特に車両ボディを乾燥させるための乾燥装置１８０と、関連する熱的な後燃焼装置１６８の空気導管路（供給空気と排気）にまとめられていることによって区別される。
【０２１５】
図８に示される第７の実施形態と同様に、図９に示される第８の実施形態においても、処理装置１２８のための供給空気は熱交換器１６４によって加熱され、その熱交換器には、熱的な後燃焼装置１６８内で加熱された処理装置１２８の排気が供給される。
【０２１６】
さらに、図８に示される第９の実施形態においては、熱的な後燃焼装置１６８の排気からの熱は、他の複数の熱交換器１６４によって乾燥装置１８０のための供給空気へ伝達される。
【０２１７】
乾燥装置１８０からの排気は、処理装置１２８からの排気と同様に、熱的な後燃焼装置１６８へ供給される。
【０２１８】
その他において、図９に示される処理設備１２６の第８の実施形態は、構造と機能に関して図８に示される第７の実施形態と一致するので、その限りにおいてその上述した説明が参照される。
【０２１９】
図１０に示される熱的な処理設備１２６の第９の実施形態は、図２に示される第１の実施形態から実質的に、加熱装置１４８が電気的な加熱装置１４８として、特に電気的な加熱ユニットとして形成されていることによって区別される。
【０２２０】
従って処理装置１２８のための供給空気は、電気的な加熱装置１４８によって加熱される。
【０２２１】
処理装置１２８からの排気は、熱的な後燃焼装置１６８へ供給され、それによって望ましくない有害物質が除去されて、最終的に周囲へ放出される。
【０２２２】
その他において、図１０に示される処理設備１２６の第９の実施形態は、構造と機能に関して図２に示される第１の実施形態と一致するので、その限りにおいてその上述した説明が参照される。
【０２２３】
図１１に示される熱的な処理設備１２６の第１０の実施形態は、図９に示される第８の実施形態から実質的に、処理装置１２８のための供給空気が乾燥装置１８０からの排気の一部であることによって、区別される。
【０２２４】
乾燥装置１８０からの排気の残りの部分は、熱的な後燃焼装置１６８へ供給される。
【０２２５】
同様に、処理装置１２８からの排気が熱的な後燃焼装置１６８へ供給される。
【０２２６】
その他において、図１１に示される処理設備１２６の第１０の実施形態は、構造と機能に関して図９に示される第８の実施形態と一致するので、その限りにおいてその上述した説明が参照される。
【０２２７】
図１２に示される熱的な処理設備１２６の第１１の実施形態は、図３に示される第２の実施形態から実質的に、加熱装置１４８が電気的な加熱装置１４８として、特に電気的な加熱ユニットとして形成されていることによって、区別される。
【０２２８】
その場合に加熱装置１４８は、特に補助ヒータである。
【０２２９】
その他において、図１２に示される処理設備１２６の第１１の実施形態は、構造と機能に関して図３に示される第２の実施形態と一致するので、その限りにおいてその上述した説明が参照される。
【０２３０】
図１３に示される熱的な処理設備１２６の第１２の実施形態は、図５に示される第４の実施形態から実質的に、弁装置１７０によって、異なるように温度調節された空気流だけでなく、様々な組成のガス流も選択的に個々に、あるいは混合されて供給空気として処理装置１２８へ供給可能であることによって、区別される。
【０２３１】
その場合に測定装置１７４によって、好ましくは処理装置１２８内のガス濃度、特に酸素濃度を求めることができる。
【０２３２】
処理装置１２８内のプロセスパラメータを最適化するために、測定装置１７４によって求められたガス濃度に従って、制御装置１７２によって弁装置１７０へ影響を与えることができる。
【０２３３】
その他において、図１３に示される処理設備１２６の第１２の実施形態は、構造と機能に関して図５に示される第４の実施形態と一致するので、その限りにおいてその上述した説明が参照される。
【０２３４】
図１４には、処理装置１２８の作動方式が図式的に示されており、それにおいて処理装置１２８の収容部１３２内に泡を形成する流動層が形成される。
【０２３５】
この種の泡を形成する流動層において、流動層ベース材料及び／又は有害物質を帯びた補助材料が空気によって貫流される。その場合に個々の固体粒子、特に補助材料からの粒子及び／又は流動層ベース材料の破片が流動層から除去される。
【０２３６】
図１５には、処理装置１２８の作動方式が図式的に示されており、それにおいて処理装置１２８の収容部１３２内に循環する流動層が形成される。
【０２３７】
この種の循環する流動層においては、流動層ベース材料及び／又は有害物質を帯びた補助材料が激しく渦を巻く。さらに、それによって流動層からの強力な粒子除去が行われ、すなわち大量の補助材料の粒子及び／又は流動層ベース材料の破片が重力方向とは逆に上方へ向かって流動層から除去される。
【０２３８】
収容部１３２は、処理装置１２８のこの種の作動方式を最適化するために、重力方向１６０とは逆に上方へ拡幅する部分１８２を有しており、その部分が処理装置１２８の収容部１３２内でガス流を低速にし、かつ除去された粒子が流動層１４０内へ流れ戻ることを可能にする。
【０２３９】
このように上方へ向かって拡幅する部分１８２は、「フリーボード」とも称される。
【０２４０】
図１６に示される熱的な処理設備１２６の第１３の実施形態は、図２に示される第１の実施形態から実質的に、分離装置１５２の下方に収集容器１８４が配置されており、その収集容器によって、分離装置１５２から落下する処理された補助材料を受容することができることによって、区別される。
【０２４１】
分離装置１５２も収集容器１８４も処理装置１２８の収容部１３２に対して横にずれて配置されているので、分離されて、処理された補助材料が流動層１４０内へ戻ることが回避される。
【０２４２】
従って、図１６に示される処理設備１２６の第１３の実施形態において、分離装置１５２と収集容器１８４によって、処理された補助材料を簡単に分離して、最終的に排出装置１５６を用いて処理装置１２８から排出することができる。
【０２４３】
図１７に示される熱的な処理設備１２６の第１４の実施形態は、図２に示される第１の実施形態から実質的に、処理設備１２６がバッファ装置１８６を有しており、それを用いて有害物質を帯びた補助材料及び／又は処理された補助材料を中間貯蔵することができることによって、区別される。
【０２４４】
そのためにバッファ装置１８６のバッファ容器１８８が設けられている。
【０２４５】
第１のバッファ容器１８８は、フィルタ設備１１２からの有害物質を帯びた補助材料を収容するために用いられる。
【０２４６】
移送装置１９０、特にウォームコンベア、特に冷却ウォームコンベア、又はウォーム熱交換器によって、有害物質を帯びた補助材料のためのバッファ容器１８８から有害物質を帯びた補助材料を、処理装置１２８へ供給することができる。
【０２４７】
従って移送装置１９０は、供給装置１５８の構成要素である。
【０２４８】
移送装置１９０によって、有害物質を帯びた補助材料を、特に流動層１４０の下方の領域１６１内で、流動層ベース材料とそれに伴って流動層１４０それ自体へ供給することができる。
【０２４９】
例えば同様にウォームコンベアとして形成されている、他の移送装置１９０によって、越流管１９２によって処理装置１２８の収容部１３２から排出された、処理された補助材料を他のバッファ装置１８６の他のバッファ容器１８８へ供給することができる。
【０２５０】
従って越流管１９２と他のバッファ装置１９０は、排出装置１５６の構成要素である。
【０２５１】
処理設備１２６は、さらに、新鮮な補助材料を貯蔵するための貯蔵装置１９４、処理された補助材料と新鮮な補助材料を混合するための混合装置１９６及び／又は著しく汚れた補助材料、特に有害物質によって著しく汚染された補助材料を廃棄するための廃棄装置１９８を有している。
【０２５２】
貯蔵装置１９４は、他のバッファ容器１８８を有しており、その中に、例えばトラックによって供給された新鮮な補助材料を中間貯蔵することができる。
【０２５３】
混合装置１９６は、同様にバッファ容器１８８を有しており、その中に、新鮮な補助材料と処理された補助材料からなる混合物を中間貯蔵することができる。
【０２５４】
図１７に示される処理設備１２６の第１４の実施形態は、以下のように機能する：
【０２５５】
フィルタ設備１１２内で、有害物質を帯びた未処理ガス流が補助材料を用いて浄化される。
【０２５６】
それによって有害物質を帯びた補助材料は、所定の利用期間後に交換されるか、あるいは処理されなければならない。
【０２５７】
熱的な処理設備１２６によって、この種の処理を行うことができる。
【０２５８】
そのために、有害物質を帯びた補助材料が、フィルタ装置１１２からバッファ装置１８６へ供給されて、特にバッファ容器１８８内に有害物質を帯びた補助材料が中間貯蔵される。
【０２５９】
そこから、有害物質を帯びた補助材料は、移送装置１９０によって処理装置１２８の収容部１３２内へ移送される。
【０２６０】
有害物質を帯びた補助材料を処理装置１２８へ連続的に供給することによって、レベル、すなわち充填高さ、特に流動層１４０の高さが連続的に上昇する。越流管１９２によって、流動層１４０の上方の領域１６２内に集まった、処理された補助材料が処理装置１２８の収容部１３２から排出されて、他の移送装置１９０、特にウォーム熱交換器を介して、処理された補助材料のためのバッファ容器１８８へ供給される。その場合に補助材料は、最高で約４０℃に冷却され、それによって周囲温度においてさらに保管され、場合によっては加工されることができる。ウォーム熱交換器を使用する代わりに、熱交換器パイプに接して流れることによって冷却が行われる、塊状材料熱交換器、又はコンベア導管内に内蔵された熱交換器を有するかあるいはそれを持たない空気式の移送を設けることができる。
【０２６１】
処理された補助材料のためのバッファ容器１８８と新鮮な補助材料のためのバッファ容器１８８から、それぞれの補助材料が混合装置１９６に、特に混合装置１９６のバッファ容器１８８へ供給される。その場合に混合物は、例えば約７０％の処理された補助材料と約３０％の新鮮な補助材料を有する。
【０２６２】
混合装置１９６によって混合された補助材料は、新たな使用のためにフィルタ設備１１２へ最終的に供給される。
【０２６３】
熱的な処理設備１２６内で必要とされるガス流、特に空気流の駆動は、好ましくは少なくとも一つの送風機によって行われ、その送風機は特に処理設備１２６内のすべての圧力損失を克服する。その場合に圧力損失は、例えば約２００ｍｂａｒと約３００ｍｂａｒの間になることがある。
【０２６４】
その他において、図１７に示される処理設備１２６の第１４の実施形態は、構造と機能に関して図２に示される第１の実施形態と一致するので、その限りにおいてその上述した説明が参照される。
【０２６５】
熱的な処理設備１２６の他の図示されない実施形態においては、説明した実施形態の個々の、あるいは複数の特徴を任意のやり方で互いに組み合わせることができる。
【０２６６】
すなわち、例えば、図１７に示される熱的な処理設備１２６の第１４の実施形態に、図４に示される第３の実施形態に従って、熱的な後燃焼装置１６８を設けることができる。
【０２６７】
熱的な処理設備１２６のすべての実施形態において、有害物質を帯びた補助材料が熱的に処理されて、処理された補助材料がガス流によって、まだ有害物質を帯びている補助材料から分離されるので、補助材料の処理が特に資源を節約する様態で簡単に行われる。